(57)【特許請求の範囲】
【請求項１】
故人が生存していたことを証明できる物証を識別可能状態で収納した物証収納容器と、
前記故人の生涯情報を記録した記録媒体と、
前記物証収納容器と前記記録媒体とを劣化防止ガスと共に密閉収納する箱と、
を備え、
前記箱は、鉛の防護層にステンレスの外装を施してなるものであることを特徴とする箱形のお墓。
【請求項２】
前記物証は前記故人のデオキシリボ核酸であることを特徴とする請求項１記載の箱形のお墓。
【請求項３】
前記記録媒体はコンパクトディスクであり、このコンパクトディスクに前記故人の生涯情報をデジタルデータとして記録する請求項１または２記載の箱形のお墓。
【請求項４】
前記箱は前記故人の遺品を収納する空間を有することを特徴とする請求項１から３のいずれかに記載の箱形のお墓。
【発明の詳細な説明】
【０００１】
【発明の属する技術分野】
本発明は、故人を祭るお墓に係り、特に故人の生存証明と生涯情報を半永久的に保存する箱形のお墓に関する。
【０００２】
【従来の技術】
お墓の形態は、(1)納骨室、(2)墓石、(3)敷地の３つの要素からなっている。(1) 納骨室は、遺骨を納める空間で地方によっては小さな家ほどの規模を持つこともある。(2) 墓石は、家名や建立者名と故人の贈名等を刻印して後世に遺すものである（別に墓誌を設ける場合もある）。(3) 敷地は、お墓を設けるための敷地で通路を含めると、平均的には１基あたり３ｍ2程度の面積を必要とする。
【０００３】
お墓を設けてよい土地を墓地と言い、これを維持管理する形態は、(1) 個人墓地又は地域の共同所有墓地、(2) 寺院墓地、(3) 霊園（公立、私立）、の３つに分類される。(1) 個人墓地又は地域の共同所有墓地は、現在の墓地埋葬法が施行させる以前から墓地として成立していたもので、現在でも地方では多く残っている。施設の維持管理は所有者が直轄で行われている場合が多く様々である。(2) 寺院墓地は、主に仏教の寺院の管理運営する墓地で、お墓を建立しようとする人は寺院から敷地を借りることになる。期限は基本的に無いが、維持管理の費用を納められなくなった場合には、ある程度の期間を経た後その権利は基本的に消滅し、遺骨は無縁仏として共同埋葬される。管理料はお寺の規模、格式などによって決められる。寺院墓所の場合、お墓の所有者は原則的に檀家となり、お墓は永代供養の対象となる。寺院の場合、永代供養とは寺が存在する限り読経時に供養することを指す。(3) 霊園（公立、私立）は、人口の多い大中都市の近郊に地方自治体や企業によって建設されたものである。霊園の場合、土地の貸借と管理の形態は寺院墓地とほとんど同じ形態をとっているところが多い。また、霊園のほとんどが宗教、宗派を問わない前提で墓地を提供しているので、各お墓にお祭りされている霊の慰霊や供養は、お墓の所有者の責任で行うことになっている。
【０００４】
【発明が解決しようとする課題】
従来のお墓には、下記の問題点がある。
(1) 墓所の敷地は１基あたり３ｍ2 程度の占有面積を必要とし、かつ高価なものとなるので都会では身近な場所で墓所を求めることは非常に困難になってきている。(2) 納骨室（カロート）は通常、防水構造には造られていないので、遺骨を納めても数十年後の保存状態は保障できない。また、このような納骨室に遺骨を納めることに違和感を覚える人は少なくない。(3) 墓石に刻印する情報は出生及び物故等の年月日程度が多く、檀家記録も縁者系図程度であり、故人の生涯記録として後世に遺される情報量は少ない。(4) お墓の維持管理に関して、縁者が法要・供養を長期間行わないと、寺院墓地では故人を無縁仏として処置することになる。
【０００５】
以上から本発明は、前記問題点に鑑みなされたものであり、墓所の敷地をほとんど必要とせず、故人の生存証明できる物証や生涯記録を保存でき、お墓の維持管理も簡単かつ安価である箱形のお墓を提供することを技術的課題とする。
【０００６】
【課題を解決するための手段】
前記課題を達成するために、本発明の箱形のお墓は、以下の手段を採用した。すなわち、本発明の箱形のお墓は、故人が生存していたことを証明できる物証を識別可能状態で収納した物証収納容器と、前記故人の生涯情報を記録した記録媒体と、前記物証収納容器と前記記録媒体とを劣化防止ガスと共に密閉収納する箱と、
を備えたことを特徴とする。
【０００７】
また、本発明の箱形のお墓は、前記物証がＤＮＡ（デオキシリボ核酸）であり、容器内に密閉収納して前記物証収納容器とする構成のものも例示できる。
【０００８】
更に、本発明の箱形のお墓は、前記記録媒体がＣＤ（コンパクトディスク）であり、このコンパクトディスクに前記故人の生涯情報（例えば、映像情報・音声情報・文字情報）をデジタルデータとして記録する構成のものも例示できる。
【０００９】
更にまた、本発明の箱形のお墓において、前記箱は前記故人の遺品を収納する空間を有する構成のものも例示できる。
【００１０】
この構成によれば、慰霊や供養の対象を従来の遺骨から物証（例えば、ＤＮＡ）に置き換えることで収納するスペースが小さくて済み、お墓の簡潔化が図れる。このようにお墓の簡潔化が図れるので、墓所の敷地をほとんど必要せず、お墓の維持管理も簡単かつ安価とすることができる。また、記憶媒体に故人のパーソナルデータ（映像情報・音声情報・文字情報）をデジタルデータとして記録できるので、生涯記録の情報量が従来の墓誌や檀家記録に比して飛躍的に多くすることができ、墓石の必要性がなくなる。更に、物証と記憶媒体は劣化防止ガスを注入した箱に納めることで、長期間保存できる。なお、箱は耐候性、耐腐食性、耐衝撃性、耐磁性、及び耐放射線の機能を有し、少なくとも数百年間、内装品の保存に耐えられて美観も損なわないものが好ましく、例えば鉛の防護層にステンレス（ＳＵＳ）の外装を施したものがよい。また、遺骨は海洋散骨して自然にかえす。
【００１１】
【発明の実施の形態】
以下、本発明の実施の形態に係る箱形のお墓を図１〜図３に基づいて詳細に説明する。
この実施の形態の箱形のお墓は、図２に示すように、故人が生存していたことを証明できる物証を識別可能状態で収納した物証収納容器２，２と、故人の生涯を記録した記録媒体３，３と、故人の遺品４と、物証収納容器２，２と記録媒体３，３と遺品４とを劣化防止ガスと共に密閉収納する箱１と、を備えている。
【００１２】
物証収納容器２，２は、物証として故人のＤＮＡ（デオキシリボ核酸）を収納したアンプルである。アンプル２，２は遺髪等を収納した後に琥珀に類似した樹脂材を封入固化させたものであり、樹脂により遺髪等から酸素を遮ることで常温で長期間保存可能にしたものである。なお、アンプル２，２は予備を加えて２個とする。
【００１３】
記録媒体３，３は直径１２cmのＣＤ（コンパクトディスク）であり、このＣＤ３，３に故人の生涯情報（パーソナルデータ：映像情報・音声情報・文字情報）をデジタルデータとして記録したものである。このＣＤ３，３は、市販のＣＤ再生機で再生可能なものである。このＣＤ３，３は、２枚組みであり、それぞれプラスチックケースに収納される。
【００１４】
故人の遺品４は、思い出の写真、小物等である。
【００１５】
箱１は、図１に示すように、直方体を成し、矩形状の上蓋１ａ及び下蓋１ｂと、上蓋１ａと下蓋１ｂの接合面を密封するメタルシール１ｃから構成される。また、箱１の外形寸法は、例えば幅140mm、奥行き250mm、厚み35mm程度である。
【００１６】
上蓋１ａ及び下蓋１ｂは、図３に示すように、鉛の防護層１２ａ，１２ｂにステンレス（ＳＵＳ）の外装１１ａ，１１ｂを施し、更にパルプ材の内装１３ａ，１３ｂを施したものである。なお、ステンレス（ＳＵＳ）の外装１１ａ，１１ｂは耐候性、耐腐食性に優れ、パルプ材の内装１３ａ，１３ｂは耐衝撃性に優れ、鉛の防護層１２ａ，１２ｂは耐磁性、耐放射線性に優れている。従って、箱１は少なくとも数百年間、内装品２，３，４の保存に耐えられて美観も損なわないものである。
【００１７】
上蓋１ａ及び下蓋１ｂは、図２に示すように、ＣＤ収納部１４、遺品収納部１５及びアンプル収納部１６ａ，１６ｂを有している。ＣＤ収納部１４、遺品収納部１５及びアンプル収納部１６ａ，１６ｂは、上蓋１ａ及び下蓋１ｂの内装１３ａ，１３ｂ部分を凹状に形成したものである。すなわち、ＣＤ収納部１４は、ケースに入った２枚のＣＤ３，３が重ねて収納可能なように内装１３ａ，１３ｂ部分を凹状に形成したものである。遺品収納部１５は思い出の写真、小物等が収納可能なように内装１３ａ，１３ｂ部分を凹状に形成したものである。アンプル収納部１６ａ，１６ｂは、２本のアンプル２，２が並列に収納可能なように内装１３ａ，１３ｂ部分を凹状に形成したものである。
【００１８】
箱１はＣＤ収納部１４、遺品収納部１５及びアンプル収納部１６ａ，１６ｂに夫々内装品２，３，４を収納した後、劣化防止ガス（例えば、窒素雰囲気ガス）を封入して上蓋１ａと下蓋１ｂを閉じている。また、箱１は上蓋１ａと下蓋１ｂの接合面をメタルシール１ｃで密封している。このメタルシール１ｃは８０°程度で溶解する金属が好ましい。このメタルシール１ｃにより酸素が箱１内に侵入せず、箱１が窒素雰囲気を保てるように密閉されているので、内装品２，３，４を長期間保存可能にしている。
【００１９】
この実施の形態に係る箱形のお墓によれば、慰霊や供養の対象を物証（例えば、ＤＮＡ）及び生涯を記録した記憶媒体（例えば、ＣＤ）にすることで、慰霊や供養の対象が従来の遺骨に比して極度に小形化される。従って、従来のように墓地に埋葬する必要がないから墓地を購入しなくて済み、共同の保管施設にお祭りしても占有面積が小さく、維持管理も簡易なので保管料も少なくて済む。なお、遺骨は海洋散骨して自然に返すことが考えられる。また、共同の保管施設用（永久保存用）の箱形のお墓とは別に同一の箱形のお墓を造り、箱形のお墓を位牌として仏壇にお祭りすることもできる。
【００２０】
また、この実施の形態に係る箱形のお墓によれば、ＣＤのような大量記憶媒体に故人の生涯情報（パーソナルデータ：映像情報・音声情報・文字情報）をデジタルデータとして記録できるので、生涯記録の情報量が従来の墓誌や檀家記録に比して飛躍的に多くすることができ、墓石の必要性がなくなる。また、デジタルデータとしてＣＤに記録することで、データの経年劣化も少ない。
【００２１】
【発明の効果】
本発明によれば、慰霊や供養の対象を従来の遺骨から物証（例えば、ＤＮＡ）に置き換えることで収納するスペースが小さくて済み、お墓の簡潔化が図れる。このようにお墓の簡潔化が図れるので、墓所の敷地をほとんど必要せず、お墓の維持管理も簡単かつ安価とすることができる。また、記憶媒体に故人の生涯情報（パーソナルデータ：映像情報・音声情報・文字情報）をデジタルデータとして記録できるので、生涯記録の情報量が従来の墓誌や檀家記録に比して飛躍的に多くすることができ、墓石の必要性がなくなる。更に、物証と記憶媒体は劣化防止ガスを注入した箱に納めることで、長期間保存できる。
【図面の簡単な説明】
【図１】本発明の箱形のお墓の斜視図である。
【図２】本発明の箱形のお墓の内部の平面図である。
【図３】箱の縦断面図の一部拡大図である。
【符号の説明】
１…箱
１ａ…上蓋
１ｂ…下蓋
１ｃ…メタルシール
２…物証収納容器（アンプル）
３…記憶媒体（ＣＤ）
４…遺品
１１ａ，１１ｂ…外装
１２ａ，１２ｂ…防護層
１３ａ，１３ｂ…内装
１４…ＣＤ収納部
１５…遺品収納部
１６ａ，１６ｂ…アンプル収納部
【図１】
0003673451.tif 000002
【図２】
0003673451.tif 000003
【図３】
0003673451.tif 000004